(57)【要約】【課題】被梱包物に梱包材を装着する作業を容易に行うことができる梱包部材を提供することを目的としている。【解決手段】梱包材１は、パッド部αと、収容部βと、第１突起部３２０と、孔部２３５と、凹部Ｆとを備える。パッド部αは、被梱包物Ａの少なくとも一部を覆う。収容部βは、パッド部αを収容する。第１突起部３２０は、パッド部αから突出する。孔部２３５は、収容部βに形成され、第１突起部３２０に係合する。凹部Ｆは、第１突起部３２０と孔部２３５との係合場所に位置する。【選択図】図５
2019177896.tif 000002
【特許請求の範囲】
【請求項１】
被梱包物を梱包するための梱包材であって、
前記被梱包物の少なくとも一部を覆うパッド部と、
前記パッド部を収容する収容部と、
前記パッド部から突出する第１突起部と、
前記収容部に形成され、前記第１突起部に係合する係合部と、
前記第１突起部と前記係合部との係合場所に位置する凹部と
を備える、梱包材。
【請求項２】
前記係合部は、孔部を有し、
前記第１突起部が前記孔部に挿入されることによって、前記第１突起部に前記係合部が係合する、請求項１に記載の梱包材。
【請求項３】
前記係合部は、切欠きを有し、
前記第１突起部が前記切欠きに嵌合されることによって、前記第１突起部に前記係合部が係合する、請求項１に記載の梱包材。
【請求項４】
前記凹部は、前記孔部の縁部と、前記第１突起部との間に形成される隙間を示し、
前記隙間は、前記第１突起部が前記孔部に挿入された状態で形成される、請求項２に記載の梱包材。
【請求項５】
前記第１突起部は、接触部と、非接触部とを有し、
前記第１突起部が前記孔部に挿入された状態で、前記接触部は前記孔部の縁部と接触し、
前記第１突起部が前記孔部に挿入された状態で、前記非接触部は前記孔部の縁部と接触しない、請求項４に記載の梱包材。
【請求項６】
前記第１突起部は、互いに間隔を空けて配置される第１部分と第２部分とを有し、
前記凹部は、前記第１部分と前記第２部分との間に位置する凹んだ部分を示す、請求項１から請求項３のいずれか１項に記載の梱包材。
【請求項７】
前記凹部に挿入可能な形状を有する第２突起部をさらに備え、
前記第２突起部は、前記パッド部から突出する、請求項１から請求項６のいずれか１項に記載の梱包材。
【請求項８】
前記凹部は、前記第２突起部と背向する、請求項７に記載の梱包材。
【発明の詳細な説明】
【技術分野】
【０００１】
本発明は、梱包材に関する。
【背景技術】
【０００２】
特許文献１に記載の梱包装置は、両端部が梱包材により保持された被梱包物をパレット上に積み上げて集合包装する。梱包材の天面には、ずれ防止用の凸部が形成される。梱包材の底面には凹部が形成される。梱包装置は、集合包装する際に凸部と、凸部の上側の梱包材の凹部とを互いに係合してずれ止めを行う。また空気調和機の室内ユニットを梱包する際に、付属品ケースを位置決めできる間隔で凸部が形成される。
【先行技術文献】
【特許文献】
【０００３】
【特許文献１】特開２００７−１９７０１４号公報
【発明の概要】
【発明が解決しようとする課題】
【０００４】
被梱包物が梱包される場合、パッド部と収容部とが用いられることがある。パッド部は、被梱包物の少なくとも一部を覆うようにして被梱包物に装着される。収容部は、パッド部を収容する。この場合、収容部内で、収容部に対してパッド部の位置が定位置からずれていると、作業者はパッド部の位置を直さなければならず、煩雑であった。
【０００５】
本発明は、被梱包物に梱包材を装着する作業を容易に行うことができる梱包部材を提供することを目的としている。
【課題を解決するための手段】
【０００６】
本発明の第１の局面によれば、梱包材は、被梱包物を梱包するための部材である。梱包材は、パッド部と、収容部と、第１突起部と、係合部と、凹部とを備える。パッド部は、前記被梱包物の少なくとも一部を覆う。収容部は、前記パッド部を収容する。第１突起部は、前記パッド部から突出する。係合部は、前記収容部に形成され、前記第１突起部に係合する。凹部は、前記第１突起部と前記係合部との係合場所に位置する。
【発明の効果】
【０００７】
本発明によれば、被梱包物に梱包材を装着する作業を容易に行うことができる。
【図面の簡単な説明】
【０００８】
【図１】第１実施形態の梱包材の斜視図である
【図２】（ａ）は第２収容部の平面図である。（ｂ）は第２収容部のＩＩＢ−ＩＩＢ断面図である。
【図３】（ａ）は第３パッド部の第１の斜視図である。（ｂ）は第３パッド部の第２の斜視図である。
【図４】（ａ）は第３パッド部及び第４パッド部の動作を示す断面図である。（ｂ）は第２収容部に対して第３パッド部及び第４パッド部が収容された状態を示す断面図である。
【図５】（ａ）は第３パッド部の動作を示す断面図である。（ｂ）は第２収容部に対して第３パッド部が収容された状態を示す断面図である。
【図６】第２梱包部を示す斜視図である。
【図７】第２梱包部のＶＩＩ−ＶＩＩ断面図の一部拡大図である。
【図８】（ａ）は第２梱包部の動作を示す断面図である。（ｂ）は第２梱包部に第２梱包部が積み重ねられた状態を示す断面図である。
【図９】第２梱包部のＩＸ−ＩＸ断面図の一部拡大図である。
【図１０】第１パッド部の断面図である。
【図１１】第１梱包部の動作を示す断面図である。
【図１２】第２実施形態の梱包材の斜視図である。
【図１３】第２収容部の平面図である。
【図１４】（ａ）は第３パッド部の第１の斜視図である。（ｂ）は第３パッド部の第２の斜視図である。
【図１５】第３パッド部及び第４パッド部の動作を示す断面図である。
【図１６】第２梱包部の斜視図である。
【図１７】第２梱包部の動作を示す断面図である。
【図１８】第３実施形態の梱包材の斜視図である。
【図１９】第３実施形態の梱包材の分解図である。
【図２０】第５パッド部の動作を示す断面図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態の梱包材１について説明する。図１は、第１実施形態の梱包材１の斜視図である。
【００１１】
梱包材１は、被梱包物Ａを梱包するための部材である。第１実施形態では、被梱包物Ａは、空気調和器の室外機である。なお、被梱包物Ａは、室外機に限定されず、梱包可能な物体であればよい。
【００１２】
梱包材１は、第１梱包部１００と、第２梱包部２００とを備える。
【００１３】
第１梱包部１００は、被梱包物Ａの上部に設置される。第１梱包部１００は、被梱包物Ａの上部を覆う。第１梱包部１００は、第１パッド部１１０と、第２パッド部１２０と、第１収容部１３０とを有する。
【００１４】
第１パッド部１１０及び第２パッド部１２０の各々は、被梱包物Ａを覆う。第１パッド部１１０及び第２パッド部１２０の各々は、被梱包物Ａに衝撃が加わることを抑制する緩衝材として機能する。第１パッド部１１０及び第２パッド部１２０の各々は、例えば、発泡スチロールにより形成される。
【００１５】
第１パッド部１１０は、被梱包物Ａの左上部に装着される。その結果、第１パッド部１１０は、被梱包物Ａの一部である左上部を覆う。第１パッド部１１０は、本発明のパッド部の一例である。
【００１６】
第２パッド部１２０は、被梱包物Ａの右上部に装着される。その結果、第２パッド部１２０は、被梱包物Ａの一部である右上部を覆う。第２パッド部１２０は、本発明のパッド部の二例である。
【００１７】
第１収容部１３０は、第１パッド部１１０及び第２パッド部１２０の各々を収容する。第１収容部１３０は、例えば、段ボールにより形成される。第１収容部１３０は、第１パッド部１１０及び第２パッド部１２０の各々を上方から覆うように設置される。第１収容部１３０は、本発明の収容部の一例である。
【００１８】
第２梱包部２００は、被梱包物Ａの下部に設置される。第２梱包部２００は、被梱包物Ａの下部を覆う。第２梱包部２００は、第３パッド部２１０と、第４パッド部２２０と、第２収容部２３０とを有する。
【００１９】
第３パッド部２１０及び第４パッド部２２０の各々は、被梱包物Ａを覆う。第３パッド部２１０及び第４パッド部２２０の各々は、被梱包物Ａに衝撃が加わることを抑制する緩衝材として機能する。第３パッド部２１０及び第４パッド部２２０の各々は、例えば、発泡スチロールにより形成される。
【００２０】
第３パッド部２１０は、被梱包物Ａの左下部に装着される。その結果、第３パッド部２１０は、被梱包物Ａの左下部を覆う。
【００２１】
第４パッド部２２０は、被梱包物Ａの右下部に装着される。その結果、第４パッド部２２０は、被梱包物Ａの右下部を覆う。
【００２２】
第２収容部２３０は、第３パッド部２１０及び第４パッド部２２０の各々を収容する。第２収容部２３０は、例えば、段ボールにより形成される。第２収容部２３０は、第３パッド部２１０及び第４パッド部２２０の各々を下方から覆うように設置される。
【００２３】
第１梱包部１００が被梱包物Ａの上部に設置され、かつ、第２梱包部２００が被梱包物Ａの下部に設置された状態で、第１梱包部１００及び第２梱包部２００を周回するように、第１梱包部１００及び第２梱包部２００に対してバンドＢが架け渡される。その結果、被梱包物Ａが梱包される。
【００２４】
以下では、第１パッド部１１０、第２パッド部１２０、第３パッド部２１０、及び第４パッド部２２０を総称して、パッド部αと記載することがある。また、第１収容部１３０、及び第２収容部２３０を総称して、収容部βと記載することがある。なお、第１実施形態では、パッド部αは被梱包物Ａの一部を覆う。しかし、本発明はこれに限定されず、パッド部αが被梱包物Ａの全部を覆ってもよい。つまり、パッド部αは、被梱包物Ａの一部又は全部を覆うようにして被梱包物Ａに装着されればよい。
【００２５】
梱包材１は、位置決め部３００をさらに備える。位置決め部３００は、収容部βに対するパッド部αの位置を定位置に位置決めする。パッド部αの定位置は、梱包材１により被梱包物Ａが梱包された状態のときのパッド部αの位置を示す。
【００２６】
位置決め部３００は、複数設けられる。第１実施形態では、第１梱包部１００、及び第２梱包部２００の各々に、位置決め部３００が４つずつ設けられる。
【００２７】
複数の位置決め部３００の各々は、互いに同じ構造を有する。以下では、位置決め部３００を説明する際、複数の位置決め部３００のうちの１つに着目して説明する。
【００２８】
次に、図２（ａ）及び図２（ｂ）を参照して、第２収容部２３０、及び位置決め部３００について説明する。図２（ａ）は、第２収容部２３０の平面図である。図２（ｂ）は、第２収容部２３０のＩＩＢ−ＩＩＢ断面図である。
【００２９】
図２（ａ）及び図２（ｂ）に示すように、第２収容部２３０は、底部２３１と、複数の側部２３２と、収容空間部２３３と、開口部２３４と、孔部２３５とを有する。
【００３０】
底部２３１は、例えば、略矩形状の平板形状を有する。なお、底部２３１の形状は、特に限定されない。複数の側部２３２の各々は、底部２３１の縁部から、底部２３１に対し略垂直に立ち上がる。複数の側部２３２の各々は、環状に連なる。収容空間部２３３は、底部２３１と複数の側部２３２とで囲まれた空所を示す。収容空間部２３３の下部は、底部２３１により閉塞される。収容空間部２３３の側部は、複数の側部２３２により閉塞される。収容空間部２３３の上部は、開放される。開口部２３４は、収容空間部２３３の上部に位置する。開口部２３４は、収容空間部２３３と、第２収容部２３０の外部とを連通する。
【００３１】
孔部２３５は、第２収容部２３０に形成され、第２収容部２３０を貫通する。孔部２３５は、具体的には、底部２３１に形成される。孔部２３５は、底部２３１の隅側に位置する。第１実施形態では、孔部２３５は、第２収容部２３０に４つ設けられる。
【００３２】
孔部２３５は、本発明の係合部の一例である。
【００３３】
なお、第１収容部１３０（図１参照）は、第２収容部２３０と略同じ構造を有する。
【００３４】
次に、図３（ａ）及び図３（ｂ）を参照して、第３パッド部２１０、及び位置決め部３００について説明する。図３（ａ）は、第３パッド部２１０の第１の斜視図である。図３（ｂ）は、第３パッド部２１０の第２の斜視図である。
【００３５】
図３（ａ）及び図３（ｂ）に示すように、第３パッド部２１０は、装着面２１１と、底面２１２と、天井面２１３と、複数の側面２１４とを有する。
【００３６】
装着面２１１及び天井面２１３は、第３パッド部２１０の上部に位置する。底面２１２は、第３パッド部２１０の下部に位置する。複数の側面２１４は、第３パッド部２１０の側部に位置する。
【００３７】
装着面２１１は、被梱包物Ａが装着される面を示す。装着面２１１は、被梱包物Ａの左下部が嵌合可能な形状を有する（図１参照）。底面２１２、天井面２１３、及び複数の側面２１４の各々は、平面である。
【００３８】
装着面２１１及び天井面２１３は、第３パッド部２１０の上面を構成する。底面２１２は、第３パッド部２１０の底面を構成する。
【００３９】
図３（ａ）及び図３（ｂ）において、高さ方向Ｘは、底面２１２に対して垂直な方向を示す。高さ方向Ｘ、幅方向Ｙ、及び奥行方向Ｚは、互いに垂直な方向である。
【００４０】
底面２１２の裏側には、装着面２１１及び天井面２１３の各々が位置する。
【００４１】
装着面２１１の周辺には、天井面２１３が位置する。装着面２１１は、天井面２１３に対して陥没するように形成される。
【００４２】
位置決め部３００は、第１突起部３２０と、第２突起部３３０とを有する。第１突起部３２０は、本発明の第１突起部の一例である。第２突起部３３０は、本発明の第２突起部の一例である。
【００４３】
第１突起部３２０は、第３パッド部２１０に設けられ、第３パッド部２１０から突出する。第１突起部３２０は、具体的には、底面２１２から突出する。
【００４４】
第２突起部３３０は、第３パッド部２１０に設けられ、第３パッド部２１０から突出する。第２突起部３３０は、具体的には、天井面２１３から突出する。
【００４５】
第２突起部３３０は、第１部材３３１と、第２部材３３２とを有する。第１部材３３１、及び第２部材３３２の各々は、平面視で略円弧形状を有する。
【００４６】
なお、第１突起部３２０、及び第２突起部３３０は、第１パッド部１１０、第２パッド部１２０、第４パッド部２２０にも設けられる。また、第１突起部３２０、及び第２突起部３３０は、第１パッド部１１０〜第４パッド部２２０に対して、それぞれ２つずつ設けられる。
【００４７】
次に、図４（ａ）から図６を参照して、第２梱包部２００について説明する。
【００４８】
図４（ａ）及び図４（ｂ）は、第２収容部２３０を奥行方向Ｚに見た図を示す。図４（ａ）は、第３パッド部２１０及び第４パッド部２２０の動作を示す断面図である。図４（ａ）において、第２収容部２３０に対して第３パッド部２１０及び第４パッド部２２０が収容されている。図４（ｂ）は、第２収容部２３０に対して第３パッド部２１０及び第４パッド部２２０が収容された状態を示す断面図である。
【００４９】
図５（ａ）及び図５（ｂ）は、第２収容部２３０を幅方向Ｙに見た図を示す。図５（ａ）は、第３パッド部２１０の動作を示す断面図である。図５（ａ）において、第２収容部２３０に対して第３パッド部２１０が収容されている。図５（ｂ）は、第２収容部２３０に対して第３パッド部２１０が収容された状態を示す断面図である。
【００５０】
図４（ａ）及び図５（ｂ）に示すように、第３パッド部２１０の第１突起部３２０が第２収容部２３０の複数の孔部２３５のうちの１つに挿入される。その結果、第３パッド部２１０が収容空間部２３３に収容される。
【００５１】
また、第４パッド部２２０の第１突起部３２０が第２収容部２３０の複数の孔部２３５のうちの他の１つに挿入される。その結果、第４パッド部２２０が収容空間部２３３に収容される。
【００５２】
図４（ｂ）及び図５（ｂ）に示すように、第３パッド部２１０が収容空間部２３３に収容されると、第３パッド部２１０が第２収容部２３０の底部２３１に載置される。
【００５３】
また、第４パッド部２２０が収容空間部２３３に収容されると、第４パッド部２２０が第２収容部２３０の底部２３１に載置される。
【００５４】
なお、パッド部α（第１パッド部１１０〜第４パッド部２２０）が収容空間部２３３に収容された状態は、パッド部αの全部が収容空間部２３３に収容されている状態に限定されない。パッド部αが収容空間部２３３に収容された状態には、第１実施形態のように、パッド部αの一部が収容空間部２３３の外部に位置し、パッド部αの残部が収容空間部２３３に収容されている状態も含まれる。
【００５５】
第２梱包部２００において、第１突起部３２０が第２収容部２３０の孔部２３５を介して露出している。
【００５６】
図６は、第２梱包部２００を示す斜視図である。
【００５７】
図６に示すように、第２収容部２３０に対して第３パッド部２１０及び第４パッド部２２０が収容されている。第３パッド部２１０及び第４パッド部２２０は、幅方向Ｙに互いに間隔を空けて設置される。被梱包物Ａ（図１参照）は、第３パッド部２１０及び第４パッド部２２０に掛け渡されるように設置される。
【００５８】
以下では、第２収容部２３０に対して第３パッド部２１０及び第４パッド部２２０が収容されている状態を、収容状態と記載することがある。
【００５９】
収容空間部２３３の奥行方向Ｚの寸法Ｃは、第３パッド部２１０の奥行方向Ｚの寸法Ｃ１、及び第４パッド部２２０の奥行方向Ｚの寸法Ｃ２の各々と略同じである（Ｃ≒Ｃ１≒Ｃ２）。従って、収容状態において、第３パッド部２１０及び第４パッド部２２０の各々が奥行方向Ｚに沿って移動することが、第２収容部２３０の側部２３２により規制される。
【００６０】
収容空間部２３３の幅方向Ｙの寸法Ｄは、第３パッド部２１０の幅方向Ｙの寸法Ｄ１、及び第４パッド部２２０の幅方向Ｙの寸法Ｄ２の各々よりも大きい（Ｄ＞Ｄ１、Ｄ＞Ｄ２）。従って、収容状態において、第３パッド部２１０及び第４パッド部２２０の各々が幅方向Ｙに沿って移動することが可能である。
【００６１】
第１実施形態では、位置決め部３００は、収容状態において、第３パッド部２１０及び第４パッド部２２０の各々が幅方向Ｙに沿って移動することを規制するために設けられる。
【００６２】
図４（ｂ）、図５（ｂ）及び図７を参照して、位置決め部３００について説明する。図７は、図４（ｂ）に示す第２梱包部２００のＶＩＩ−ＶＩＩ断面図の一部拡大図である。
【００６３】
図４（ｂ）及び図７に示すように、第３パッド部２１０の第１突起部３２０が孔部２３５に挿入されると、第２収容部２３０に対し第３パッド部２１０が定位置に配置される。また、第４パッド部２２０の第１突起部３２０が孔部２３５に挿入されると、第２収容部２３０に対し第４パッド部２２０が定位置に配置される。なお、図７は、第３パッド部２１０の第１突起部３２０が孔部２３５に挿入されている状態を示している。
【００６４】
孔部２３５は、略円柱形状を有する。孔部２３５は、縁部３１１を有する。縁部３１１は、第２収容部２３０のうち、孔部２３５の縁を形成する部分を示す。縁部３１１は、リング形状を有する。
【００６５】
第１突起部３２０は、第１接触部３２１と、第２接触部３２２と、第１非接触部３２３と、第２非接触部３２４とを有する。第１接触部３２１、第２接触部３２２、第１非接触部３２３、及び第２非接触部３２４の各々は、第１突起部３２０のうち、第１突起部３２０の縁を形成する部分を示す。
【００６６】
第１接触部３２１、及び第２接触部３２２の各々は、本発明の接触部の一例である。第１非接触部３２３、及び第２非接触部３２４の各々は、本発明の非接触部の一例である。
【００６７】
第１接触部３２１は、第１突起部３２０のうち幅方向Ｙの一方側の端部に位置する。第２接触部３２２は、第１突起部３２０のうち幅方向Ｙの他方側の端部に位置する。
【００６８】
第１突起部３２０が孔部２３５に挿入された状態で、第１接触部３２１及び第２接触部３２２の各々は、縁部３１１に接触する。第１接触部３２１と第２接触部３２２との間の寸法Ｅ１が、孔部２３５の径Ｅと略等しい（寸法Ｅ１≒径Ｅ）。
【００６９】
従って、第３パッド部２１０の第１突起部３２０が孔部２３５に挿入されると、第３パッド部２１０が幅方向Ｙに沿って移動することが規制される。その結果、第３パッド部２１０が第２収容部２３０内で定位置から位置ズレすることを抑制できるので、第３パッド部２１０が定位置に位置する状態を保持することが可能になる。
【００７０】
また、第４パッド部２２０の第１突起部３２０が孔部２３５に挿入されると、第４パッド部２２０が幅方向Ｙに沿って移動することが規制される。その結果、第４パッド部２２０が定位置に位置する状態を保持することが可能になる。
【００７１】
第１非接触部３２３及び第２非接触部３２４の各々は、縁部３１１に対して平行な略円弧形状を有する。第１非接触部３２３及び第２非接触部３２４の各々は、第１接触部３２１と第２接触部３２２との間に位置する。第１非接触部３２３は、第２非接触部３２４よりも奥行方向Ｚの一方側に位置する。
【００７２】
第１突起部３２０が孔部２３５に挿入された状態で、第１非接触部３２３及び第２非接触部３２４の各々は、縁部３１１に接触しない。第１非接触部３２３と第２非接触部３２４との間の寸法Ｅ２が、孔部２３５の径Ｅよりも小さい（寸法Ｅ２＜径Ｅ）。
【００７３】
図５（ｂ）、及び図７に示すように、第１突起部３２０と縁部３１１との間に凹部Ｆが形成される。凹部Ｆは、第１突起部３２０と縁部３１１との間に形成される隙間を示す。凹部Ｆは、第１凹部Ｆ１と、第２凹部Ｆ２とを有する。第１凹部Ｆ１は、第１非接触部３２３と縁部３１１との間に形成される隙間を示す。第２凹部Ｆ２は、第２非接触部３２４と縁部３１１との間に形成される隙間を示す。
【００７４】
第１凹部Ｆ１及び第２凹部Ｆ２の各々は、略円弧形状を有する。また、凹部Ｆは、第２突起部３３０と略同じ形状を有する。従って、凹部Ｆには、第２突起部３３０を挿入可能である。具体的には、第１凹部Ｆ１には、第１部材３３１（図３（ａ）参照）を挿入可能である。また、第２凹部Ｆ２には、第２部材３３２を挿入可能である。
【００７５】
凹部Ｆは、本発明の凹部の一例である。
【００７６】
凹部Ｆは、第２突起部３３０と背向する。
【００７７】
凹部が突起部と背向するとは、凹部が、所定方向に凹んでいると共に、前記突起部に対して所定方向と反対の方向に離間した場所に位置することを示す。所定方向は、突起部が突出する方向を示す。
【００７８】
図５（ｂ）に示すように、第１実施形態では、第２突起部３３０は、高さ方向Ｘの一方側に突出する。凹部Ｆは、高さ方向Ｘの一方側に凹んでいる。また、凹部Ｆは、第２突起部３３０に対して、高さ方向Ｘの他方側に離間した場所に位置する。
【００７９】
また、凹部Ｆは、第１挟み方向に沿って第２突起部３３０と背向する。第１挟み方向は、第１梱包部１００と第２梱包部２００（図１参照）とが被梱包物Ａを挟む方向を示す。第１実施形態では、挟み方向は、高さ方向Ｘを示す。
【００８０】
以上、図４（ａ）から図５（ｂ）を参照して説明したように、梱包材１は、第１突起部３２０と、孔部２３５とを備える。従って、第３パッド部２１０の第１突起部３２０が第２収容部２３０の孔部２３５に挿入されることで、第２収容部２３０に対し第３パッド部２１０を定位置に位置決めすることが可能になる。また、第４パッド部２２０の第１突起部３２０が第２収容部２３０の孔部２３５に挿入されることで、第２収容部２３０に対し第４パッド部２２０を定位置に位置決めすることが可能になる。従って、第２収容部２３０に対し第３パッド部２１０及び第４パッド部２２０の各々が定位置から位置ずれすることを抑制できる。その結果、被梱包物Ａに梱包材１を装着する作業を容易に行うことが可能になる。
【００８１】
また、（第１パッド部１１０〜第４パッド部２２０）の凹凸形状を低減することができ、パッド部αの形状をシンプルにすることができる。従って、パッド部αを成形するための金型を容易に製造することが可能になる。その結果、パッド部αの製造コスト、及び製造時間を低減することが可能になる。
【００８２】
次に、図８（ａ）から図９を参照して、第２梱包部２０Ａに第２梱包部２０Ｂを積み重ねる手順について説明する。第２梱包部２０Ａは、複数の第２梱包部２００のうちの１つを示す。第２梱包部２０Ｂは、複数の第２梱包部２００のうちの他の１つを示す。
【００８３】
図８（ａ）は、第２梱包部２０Ｂの動作を示す断面図である。図８（ａ）において、第２梱包部２０Ａに第２梱包部２０Ｂが積み重ねられている。
【００８４】
図８（ａ）に示すように、第２梱包部２０Ｂの第１突起部３２０が第２梱包部２０Ａの第２突起部３３０に対向している状態で、第２梱包部２０Ｂが第２梱包部２０Ａに近接する。その結果、第２梱包部２０Ｂが第２梱包部２０Ａに積み重ねられる。
【００８５】
図８（ｂ）は、第２梱包部２０Ａに第２梱包部２０Ｂが積み重ねられた状態を示す断面図である。図９は、図８（ｂ）に示す第２梱包部２０ＢのＩＸ−ＩＸ断面図の一部拡大図である。
【００８６】
図８（ｂ）、及び図９に示すように、第２梱包部２０Ｂが第２梱包部２０Ａに積み重ねられると、第２梱包部２０Ｂの凹部Ｆに第２梱包部２０Ａの第２突起部３３０が挿入される。具体的には、第２梱包部２０Ｂの第１凹部Ｆ１に、第２梱包部２０Ａの第１部材３３１が挿入される。また、第２梱包部２０Ｂの第２凹部Ｆ２に、第２梱包部２０Ａの第２部材３３２が挿入される。第１実施形態では、上記の手順で複数の第２梱包部２００が積み重ねられる。具体的には、複数の第３パッド部２１０と複数の第２収容部２３０とが積み重ねられる。複数の第２梱包部２００が積み重ねられると、上下方向に隣り合う第３パッド部２１０の各々において、凹部Ｆに第２突起部３３０が挿入される。従って、上下方向に隣り合う第３パッド部２１０の間で位置ズレが発生することを抑制することができる。その結果、複数の第３パッド部２１０が積み重ねられた状態から、複数の第３パッド部２１０の姿勢が不安定になることを抑制することが可能になる。
【００８７】
また、複数の第３パッド部２１０を積み重ねるための凹部Ｆが第１突起部３２０と孔部２３５との係合場所に設けられる。従って、複数の第３パッド部２１０を積み重ねるために、第２収容部２３０に孔をさらに形成する必要がない。その結果、第２収容部２３０の強度の低下を抑制することができる。
【００８８】
次に、図１０及び図１１を参照して、第１パッド部１１０について説明する。図１０は、第１パッド部１１０の断面図である。
【００８９】
図１０に示すように、第１パッド部１１０は、装着面１１１と、底面１１２と、天井面１１３と、複数の側面１１４とを有する。
【００９０】
装着面１１１及び底面１１２は、第１パッド部１１０の下部に位置する。天井面１１３は、第１パッド部１１０の上部に位置する。複数の側面２１４は、第３パッド部２１０の側部に位置する。
【００９１】
装着面１１１は、被梱包物Ａが装着される面を示す。第１突起部３２０は、底面１１２から突出する。第２突起部３３０は、天井面１１３から突出する。
【００９２】
第１梱包部１００（図１参照）において、第２突起部３３０が第１収容部１３０の孔部２３５を介して露出している。
【００９３】
図１１は、第１梱包部１０Ｂの動作を示す断面図である。図１１において、第１梱包部１０Ａに第１梱包部１０Ｂが積み重ねられている。第１梱包部１０Ａは、複数の第１梱包部１００のうちの１つを示す。第１梱包部１０Ｂは、複数の第１梱包部１００のうちの他の１つを示す。
【００９４】
まず、図１１を参照して、第１梱包部１０Ａ及び第１梱包部１０Ｂの各々の構造を説明する。
【００９５】
図１１に示すように、第１梱包部１０Ａ及び第１梱包部１０Ｂの各々において、第１収容部１３０には、孔部２３５が形成される。孔部２３５には、第２突起部３３０が挿入される。孔部２３５に第２突起部３３０が挿入されると、孔部２３５が第２突起部３３０に係合する。その結果、第１収容部１３０に対する第１パッド部１１０の位置が定位置に位置決めされる。
【００９６】
第１部材３３１と、第２部材３３２との間には、凹部３３３が形成される。凹部３３３は、第１部材３３１と第２部材３３２との間に形成される隙間を示す。凹部３３３は、孔部２３５を介して露出している。凹部３３３は、本発明の凹部の二例である。
【００９７】
第１突起部３２０は、凹部３３３に挿入可能な形状を有する。
【００９８】
続いて、図１１を参照して、第１梱包部１０Ａに第１梱包部１０Ｂを積み重ねる手順について説明する。
【００９９】
図１１に示すように、第２梱包部２０Ｂの第１突起部３２０が第１梱包部１０Ａの第２突起部３３０に対向している状態で、第１梱包部１０Ｂが第１梱包部１０Ａに近接する。その結果、第１梱包部１０Ｂが第１梱包部１０Ａに積み重ねられる。
【０１００】
第１梱包部１０Ｂが第１梱包部１０Ａに積み重ねられると、凹部３３３に第１突起部３２０が挿入される。第１実施形態では、上記の手順で複数の第１梱包部１００が積み重ねられる。具体的には、複数の第１パッド部１１０と複数の第１収容部１３０とが積み重ねられる。複数の第１パッド部１１０が積み重ねられると、上下方向に隣り合う第１パッド部１１０の各々において、凹部３３３に第１突起部３２０が挿入される。従って、上下方向に隣り合う第１パッド部１１０の間で位置ズレが発生することを抑制することができる。その結果、複数の第１パッド部１１０が積み重ねられた状態から、複数の第１パッド部１１０の姿勢が不安定になることを抑制することが可能になる。
【０１０１】
また、複数の第１パッド部１１０を積み重ねるための凹部３３３が第２突起部３３０と孔部２３５との係合場所に設けられる。従って、複数の第１パッド部１１０を積み重ねるために、第１収容部１３０に孔をさらに形成する必要がない。その結果、第１収容部１３０の強度の低下を抑制することができる。
【０１０２】
［第２実施形態］
次に、図１２を参照して、本発明の第２実施形態の梱包材１について説明する。図１２は、第２実施形態の梱包材１の斜視図である。
【０１０３】
第２実施形態は、位置決め部３００がバンドＢの位置決めを行う点で第１実施形態と異なる。以下では、主に第１実施形態と異なる点を説明する。
【０１０４】
図１２に示すように、第１梱包部１００及び第２梱包部２００に対してバンドＢが架け渡される。また、バンドＢは、位置決め部３００を通るようにして架け渡される。
【０１０５】
位置決め部３００は、収容部βに対するパッド部αの位置を定位置に位置決めすると共に、収容部βに対するバンドＢの位置を定位置に位置決めする。バンドＢの定位置は、梱包材１により被梱包物Ａが梱包された状態のときのバンドＢの位置を示す。
【０１０６】
次に、図１３を参照して、第２収容部２３０、及び位置決め部３００について説明する。図１３は、第２収容部２３０の平面図である。
【０１０７】
第２収容部２３０は、複数の孔部２３６を有する。
【０１０８】
複数の孔部２３６は、第２収容部２３０に形成される。第２実施形態では、第２収容部２３０には、４つの孔部２３６が形成される。複数の孔部２３６の各々は、第２収容部２３０を貫通する。複数の孔部２３６の各々は、底部２３１と側部２３２との角部に形成される。
【０１０９】
次に、図１４（ａ）及び図１４（ｂ）を参照して、位置決め部３００について説明する。図１４（ａ）は、第３パッド部２１０の第１の斜視図である。図１４（ｂ）は、第３パッド部２１０の第２の斜視図である。
【０１１０】
位置決め部３００は、第３突起部３５０を有する。第３突起部３５０は、本発明の第１突起部の二例である。
【０１１１】
第３突起部３５０は、第３パッド部２１０に設けられ、第３パッド部２１０から突出する。第３突起部３５０は、具体的には、底面２１２から突出する。
【０１１２】
第３突起部３５０は、第１部分３５１と、第２部分３５２と、第３部分３５３とを有する。第１部分３５１、第２部分３５２、及び第３部分３５３の各々は、平面視で略矩形形状を有する。第１部分３５１と、第２部分３５２とは、幅方向Ｙに沿って互いに間隔を空けて配置される。第３部分３５３は、第１部分３５１と第２部分３５２との間に位置する。
【０１１３】
位置決め部３００は、凹部３７０と、底部３８０とをさらに有する。
【０１１４】
凹部３７０は、第１部分３５１と第２部分３５２との間に位置する凹んだ部分を示す。凹部３７０は、奥行方向Ｚの外方側に沿って延びる。凹部３７０は、側面２１４に連通する。奥行方向Ｚの外方側は、奥行方向Ｚに沿いつつ、第３パッド部２１０の中央から離間する方向を示す。
【０１１５】
凹部３７０は、本発明の凹部の三例である。
【０１１６】
第３部分３５３は、凹部３７０に対し奥行方向Ｚの内方側に位置する。奥行方向Ｚの内方側は、奥行方向Ｚに沿いつつ、第３パッド部２１０の中央に向かう方向を示す。
【０１１７】
底部３８０は、第１部分３５１と第２部分３５２との間に位置する。底部３８０は、凹部３７０の底を示す。奥行方向Ｚの外方側に向かう程、凹部３７０が深くなるように、底部３８０が傾斜している。
【０１１８】
位置決め部３００は、第４突起部３６０をさらに有する。第４突起部３６０は、本発明の第２突起部の二例である。
【０１１９】
第４突起部３６０は、第３パッド部２１０に設けられ、第３パッド部２１０から突出する。第４突起部３６０は、具体的には、天井面２１３から突出する。第４突起部３６０は、凹部３７０に挿入可能な形状を有する。
【０１２０】
凹部３７０は、第４突起部３６０と背向する。また、凹部Ｆは、第１挟み方向に沿って第４突起部３６０と背向する。第２実施形態では、第１挟み方向は、高さ方向Ｘを示す。
【０１２１】
次に、図１５及び図１６を参照して、第２収容部２３０に第３パッド部２１０及び第４パッド部２２０を収容する手順について説明する。
【０１２２】
図１５は、第２収容部２３０を奥行方向Ｚに見た図を示す。図１５は、第３パッド部２１０及び第４パッド部２２０の動作を示す断面図である。図１５において、第２収容部２３０に対して第３パッド部２１０及び第４パッド部２２０が収容されている。
【０１２３】
図１５に示すように、第３パッド部２１０の第３突起部３５０が第２収容部２３０の複数の孔部２３６のうちの１つに挿入される。その結果、第３パッド部２１０が収容空間部２３３に収容される。
【０１２４】
また、第４パッド部２２０の第３突起部３５０が第２収容部２３０の複数の孔部２３６のうちの他の１つに挿入される。その結果、第４パッド部２２０が収容空間部２３３に収容される。
【０１２５】
以上、図１５を参照して説明したように、第３パッド部２１０の第３突起部３５０が第２収容部２３０の孔部２３６に挿入されることで、第２収容部２３０に対し第３パッド部２１０を定位置に位置決めすることが可能になる。また、第４パッド部２２０の第３突起部３５０が第２収容部２３０の孔部２３６に挿入されることで、第２収容部２３０に対し第４パッド部２２０を定位置に位置決めすることが可能になる。従って、第２収容部２３０に対し第３パッド部２１０及び第４パッド部２２０の各々が定位置から位置ずれすることを抑制できる。その結果、被梱包物Ａに梱包材１を装着する作業を容易に行うことが可能になる。
【０１２６】
なお、第１パッド部１１０及び第２パッド部１２０についても、第３パッド部２１０及び第４パッド部２２０と同様の手順で第１収容部１３０に係合される。
【０１２７】
図１６は、第２梱包部２００の斜視図である。
【０１２８】
図１６に示すように、第２収容部２３０に対して第３パッド部２１０及び第４パッド部２２０が収容されている。第３パッド部２１０及び第４パッド部２２０は、幅方向Ｙに互いに間隔を空けて設置される。
【０１２９】
図１２及び図１６を参照して、梱包材１により被梱包物Ａが梱包される手順について説明する。
【０１３０】
図１２及び図１６に示すように、第１梱包部１００において、第３突起部３５０及び凹部３７０が第１収容部１３０の孔部２３６を介して露出している。また、第２梱包部２００において、第３突起部３５０及び凹部３７０が第２収容部２３０の孔部２３６を介して露出している。
【０１３１】
まず、被梱包物Ａが第１梱包部１００と第２梱包部２００との間に配置される。そして、凹部３７０にはバンドＢが挿入される。凹部３７０に挿入されたバンドＢは、底部３８０（図１４（ｂ）参照）に載置される。そして、バンドＢは、被梱包物Ａ、第１梱包部１００、及び第２梱包部２００を束ねるようにして、第１梱包部１００と第２梱包部２００とに巻きつけられる。その結果、被梱包物Ａが梱包される。
【０１３２】
以上、図１２及び図１６を参照して説明したように、梱包材１により被梱包物Ａが梱包される際、凹部３７０にバンドＢが挿入される。その結果、凹部３７０によりバンドＢが位置決めされるので、バンドＢの位置ズレを抑制することが可能になる。
【０１３３】
また、凹部３７０にバンドＢが挿入されることで、バンドＢが第１収容部１３０及び第２収容部２３０の各々の角部に接触することを抑制することが可能になる。その結果、第１収容部１３０及び第２収容部２３０の各々の角部がバンドＢからの圧力で変形することを抑制することが可能になる。
【０１３４】
次に、図１７を参照して、第２梱包部２０Ａに第２梱包部２０Ｂを積み重ねる手順について説明する。第２梱包部２０Ａは、複数の第２梱包部２００のうちの１つを示す。第２梱包部２０Ａは、複数の第２梱包部２００のうちの他の１つを示す。
【０１３５】
図１７は、第２梱包部２０Ｂの動作を示す断面図である。図１７において、第２梱包部２０Ａに第２梱包部２０Ｂが積み重ねられている。
【０１３６】
図１７に示すように、第２梱包部２０Ｂの凹部３７０が第２梱包部２０Ａの第４突起部３６０に対向している状態で、第２梱包部２０Ｂが第２梱包部２０Ａに近接する。その結果、第２梱包部２０Ｂが第２梱包部２０Ａに積み重ねられる。
【０１３７】
第２梱包部２０Ｂが第２梱包部２０Ａに積み重ねられると、第２梱包部２０Ｂの凹部３７０に第２梱包部２０Ａの第４突起部３６０が挿入される。第２実施形態では、上記の手順で複数の第２梱包部２００が積み重ねられる。具体的には、複数の第３パッド部２１０と複数の第２収容部２３０とが積み重ねられる。複数の第３パッド部２１０が積み重ねられると、上下方向に隣り合う第３パッド部２１０の各々において、凹部３７０に第４突起部３６０が挿入される。従って、上下方向に隣り合う第３パッド部２１０の間で位置ズレが発生することを抑制することができる。その結果、複数の第３パッド部２１０が積み重ねられた状態から、複数の第３パッド部２１０の姿勢が不安定になることを抑制することが可能になる。
【０１３８】
また、複数の第３パッド部２１０を積み重ねるための凹部３７０が第３突起部３５０と孔部２３６との係合場所に設けられる。従って、複数の第３パッド部２１０を積み重ねるために、第２収容部２３０に孔をさらに形成する必要がない。その結果、第２収容部２３０の強度の低下を抑制することができる。
【０１３９】
なお、複数の第１梱包部１００についても、第２梱包部２０Ａ及び第２梱包部２０Ｂと同様の手順で積み重なられる。
【０１４０】
［第３実施形態］
次に、図１８及び図１９を参照して、本発明の第３実施形態の梱包材１について説明する。図１８は、第３実施形態の梱包材１の斜視図である。図１９は、第３実施形態の梱包材１の分解図である。
【０１４１】
第３実施形態では、位置決め部３００が梱包材１の側部に位置する点で第２実施形態と異なる。以下では、主に第２実施形態と異なる点を説明する。
【０１４２】
図１２及び図１３に示すように、第３実施形態では、被梱包物Ａは、例えば、空気調和器の室内機である。
【０１４３】
梱包材１は、第３収容部４００と、２つの第５パッド部５００とを備える。
【０１４４】
第３収容部４００は、中空の角柱形状を有する。第３収容部４００は、被梱包物Ａを収容する。第３収容部４００は、被梱包物Ａの側部を覆う。第３収容部４００は、例えば、段ボールにより形成される。
【０１４５】
第３収容部４００の両端部には、開口部４１０が形成される。開口部４１０は、第３収容部４００の内部と外部とを連通する。第３収容部４００は、本発明の収容部の三例である。
【０１４６】
第３収容部４００には、複数の切欠き４１１が形成される。複数の切欠き４１１の各々は、開口部４１０の一部を切り欠いた形状を有する。切欠き４１１は、本発明の係合部の二例である。
【０１４７】
第５パッド部５００は、被梱包物Ａの端部を覆う。第５パッド部５００は、例えば、発泡スチロールにより形成される。第５パッド部５００には、複数の位置決め部３００が形成される。
【０１４８】
被梱包物Ａは、２つの第５パッド部５００により両端部から挟まれる。
【０１４９】
第３実施形態の位置決め部３００は、第２実施形態の位置決め部３００と略同じ構造を有する。
【０１５０】
位置決め部３００は、第３突起部３５０と、凹部３７０と、第４突起部３６０と、底部３８０とを有する。
【０１５１】
第３突起部３５０は、第５パッド部５００の側部から突出する。凹部３７０は、第４突起部３６０と背向する。また、凹部３７０は、第２挟み方向Ｘ１（図１９参照）に沿って第４突起部３６０と背向する。第２挟み方向Ｘ１は、２つの第５パッド部５００が被梱包物Ａを挟む方向を示す。
【０１５２】
梱包材１により被梱包物Ａが梱包される手順について説明する。
【０１５３】
まず、被梱包物Ａの端部に第５パッド部５００が装着された状態で、被梱包物Ａと第５パッド部５００とが第３収容部４００に収容される。被梱包物Ａと第５パッド部５００とが第３収容部４００に収容される際、第３突起部３５０が切欠き４１１に嵌合される。第３突起部３５０が切欠き４１１に嵌合された状態で、凹部３７０が露出している。そして、凹部３７０にはバンドＢが挿入される。そして、バンドＢは、被梱包物Ａ、第３収容部４００、及び第５パッド部５００を束ねるようにして、第３収容部４００と第５パッド部５００とに巻きつけられる。その結果、被梱包物Ａが梱包される。
【０１５４】
以上、図１８及び図１９を参照して説明したように、梱包材１は、第３突起部３５０と、切欠き４１１とを備える。従って、第５パッド部５００の第３突起部３５０が第３収容部４００の切欠き４１１に嵌合されることで、第３突起部３５０に対し第５パッド部５００を定位置に位置決めすることが可能になる。従って、第３収容部４００に対し第５パッド部５００が定位置から位置ずれすることを抑制できる。その結果、被梱包物Ａに梱包材１を装着する作業を容易に行うことが可能になる。
【０１５５】
また、第５パッド部５００の凹凸形状を低減することができ、第５パッド部５００の形状をシンプルにすることができる。従って、第５パッド部５００を成形するための金型を容易に製造することが可能になる。その結果、第５パッド部５００の製造コスト、及び製造時間を低減することが可能になる。
【０１５６】
また、梱包材１により被梱包物Ａが梱包される際、凹部３７０にバンドＢが挿入される。その結果、バンドＢの位置ズレを抑制することが可能になる。また、第３収容部４００の端部がバンドＢからの圧力で変形することを抑制することが可能になる。
【０１５７】
なお、第３実施形態では、バンドＢは、第３収容部４００に対して横巻きである。この場合、位置決め部３００、及び切欠き４１１の各々が、第３収容部４００の測端部に位置する。しかし、本発明はこれに限定されない。バンドＢは、第３収容部４００に対して縦巻きでもよい。この場合、位置決め部３００、及び切欠き４１１の各々が、第３収容部４００の上端部と下端部とに位置する。
【０１５８】
次に、図２０を参照して、第５パッド部５０Ａに第５パッド部５０Ｂを積み重ねる手順について説明する。第５パッド部５０Ａは、複数の第５パッド部５００のうちの１つを示す。第５パッド部５０Ｂは、複数の第５パッド部５００のうちの他の１つを示す。
【０１５９】
図２０は、第５パッド部５０Ｂの動作を示す断面図である。図２０において、第５パッド部５０Ａに第５パッド部５０Ｂが積み重ねられている。
【０１６０】
図２０に示すように、第５パッド部５０Ｂの凹部３７０が第５パッド部５０Ａの第４突起部３６０に対向している状態で、第５パッド部５０Ｂが第５パッド部５０Ａに近接する。その結果、第５パッド部５０Ｂが第５パッド部５０Ａに積み重ねられる。
【０１６１】
第５パッド部５０Ｂが第５パッド部５０Ａに積み重ねられると、第５パッド部５０Ｂの凹部３７０に第５パッド部５０Ａの第４突起部３６０が挿入される。第３実施形態では、上記の手順で複数の第５パッド部５００が積み重ねられる。複数の第５パッド部５００が積み重ねられると、上下方向に隣り合う第５パッド部５００の各々において、凹部３７０に第４突起部３６０が挿入される。従って、上下方向に隣り合う第５パッド部５００の間で位置ズレが発生することを抑制することができる。その結果、複数の第５パッド部５００が積み重ねられた状態から、複数の第５パッド部５００の姿勢が不安定になることを抑制することが可能になる。
【０１６２】
また、複数の第５パッド部５００を積み重ねるための凹部３７０が第３突起部３５０と切欠き４１１との係合場所に設けられる。従って、複数の第５パッド部５００を積み重ねるために、第３収容部４００に孔をさらに形成する必要がない。その結果、第３収容部４００の強度の低下を抑制することができる。
【０１６３】
以上、図面（図１〜図２０）を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【産業上の利用可能性】
【０１６４】
本発明は、梱包材の分野に利用可能である。
【符号の説明】
【０１６５】
１      梱包材
１１０  第１パッド部
１２０  第２パッド部
１３０  第１収容部
２１０  第３パッド部
２２０  第４パッド部
２３０  第２収容部
２３５  孔部（係合部）
３１１  縁部
３２０  第１突起部
３２１  第１接触部（接触部）
３２２  第２接触部（接触部）
３２３  第１非接触部（非接触部）
３２４  第２非接触部（非接触部）
３３０  第２突起部
３３３、３７０、Ｆ  凹部
３５０  第３突起部（第１突起部）
３５１  第１部分
３５２  第２部分
３６０  第４突起部（第２突起部）
４１１  切欠き（係合部）
Ａ      被梱包物
α      パッド部
β      収容部
【図１】
2019177896.tif 000003
【図２】
2019177896.tif 000004
【図３】
2019177896.tif 000005
【図４】
2019177896.tif 000006
【図５】
2019177896.tif 000007
【図６】
2019177896.tif 000008
【図７】
2019177896.tif 000009
【図８】
2019177896.tif 000010
【図９】
2019177896.tif 000011
【図１０】
2019177896.tif 000012
【図１１】
2019177896.tif 000013
【図１２】
2019177896.tif 000014
【図１３】
2019177896.tif 000015
【図１４】
2019177896.tif 000016
【図１５】
2019177896.tif 000017
【図１６】
2019177896.tif 000018
【図１７】
2019177896.tif 000019
【図１８】
2019177896.tif 000020
【図１９】
2019177896.tif 000021
【図２０】
2019177896.tif 000022